(57)【特許請求の範囲】
【請求項１】
外周部に側枠を設けたベビーベットにおいて、
長辺側の前部側枠を左右のコーナ支柱に対して上下スライド可能に装着することによって開閉扉を構成し、
その開閉扉を構成する前部側枠の両側部に、左右のコーナ支柱に対して係合して前部側枠を閉位置に保持する第一のロック装置が設けられ、
前記前部側枠または左右のコーナ支柱の中間部を連結する上部横桟に、閉位置で前記前部側枠の下降を阻止するための第二のロック装置が設けられていることを特徴とする、ベビーベット。
【請求項２】
第二のロック装置は、前記前部側枠の下部または左右のコーナ支柱の中間部を連結する上部横桟に形成された溝に係合し、前記上部横桟の軸線に直交する方向に出没可能なロック片を有し、
そのロック片の突出位置において、そのロック片により前記前部側枠を閉位置に支持することを特徴とする、請求項１記載のベビーベット。
【発明の詳細な説明】
【０００１】
【発明の属する技術分野】
本発明は、乳幼児を寝かせておくベビーベットに関する。
【０００２】
【従来の技術及び発明が解決しようとする課題】
一般に、乳幼児を寝かせておくベビーベットにおいては、寝返りなどによる乳幼児の万一の転落を防止するため、その四周に所定高さの縦格子状の側枠が設けられている。ところが、上記側枠が全て固定式であると、乳幼児のベビーベットへの出し入れ時或はオムツ交換時に母親等が腰を大きく曲げる必要があり、その作業性が悪い等の問題がある。
【０００３】
そこで、特に乳幼児を出し入れする側の前部側枠を手前開き式又は下降スライド式とし、通常はその前部側枠を閉位置に保持し、乳幼児を出し入れするときには上記前部側枠を開き、作業性が良くなるようにしたものがある。
【０００４】
そして、このような前部側枠は、通常その両側部を左右のコーナ支柱に対してラッチによって固定保持させるようにしてある。
【０００５】
ところが、このように前部側枠を開閉可能としたものにおいては、乳幼児がベットで立って遊んでいるようなとき、乳幼児が何らかのはずみでラッチを外した場合には、前部側枠が開らき、乳幼児がベットから転落する可能性がある等の問題がある。
【０００６】
本発明は、このような点に鑑み、前部側枠を通常閉位置に保持しているラッチが外れたような場合でも、その前部側枠が自然に開くことがないようにしたベビーベットを得ることを目的とする。
【０００７】
【課題を解決するための手段】
本発明は、外周部に側枠を設けたベビーベットにおいて、長辺側の前部側枠を左右のコーナ支柱に対して上下スライド可能に装着することによって開閉扉を構成し、その開閉扉を構成する前部側枠の両側部に、左右のコーナ支柱に対して係合して前部側枠を閉位置に保持する第一のロック装置が設けられ、前記前部側枠または左右のコーナ支柱の中間部を連結する上部横桟に、閉位置で前記前部側枠の下降を阻止するための第二のロック装置が設けられていることを特徴とする。
【０００８】
【発明の実施の態様】
以下、添付図面を参照して本発明の実施の形態について説明する。
【０００９】
図１は、本発明に係るベビーベットの斜視図であって、平面視で長方形をなし、その長方形の各隅角部にはコーナ支柱１ａ，１ｂ，１ｃ，１ｄが配設されており、各コーナ支柱間には縦格子状の側枠が設けられている。
【００１０】
すなわち、後部の左右のコーナ支柱１ａ，１ｂはその最下部が下部横桟２によって互いに連結されるとともに、コーナ支柱１ａ，１ｂ間の上半部には長辺側の後部側枠３が配設され、その後部側枠３によって左右のコーナ支柱１ａ，１ｂが一体に連結されている。また、前部の左右のコーナ支柱１ｃ，１ｄはその中間部と最下部が上部横桟４及び下部横桟５によって互いに連結されている。さらに、コーナ支柱１ｂと１ｃ間、及びコーナ支柱１ｄと１ａ間には、その上半部にそれぞれ短辺側の側枠６，７が配設され、その側枠６，７によってコーナ支柱１ｂと１ｃ及びコーナ支柱１ｄと１ａが連結されている。
【００１１】
一方、前部の左右のコーナ支柱１ｃ，１ｄ間には長辺側の前部側枠８が配設されている。上記前部側枠８の両側部には図示しない係合片が突設してあり、その係合片が左右のコーナ支柱１ｃ，１ｄの対向面に設けられた縦方向に延びる溝９に摺動可能に係合されており、上記前部側枠８が、上記左右のコーナ支柱１ｃ，１ｄに沿って上下スライド可能としてある。すなわち、前部枠体８によって上下動可能な開閉扉が構成されている。
【００１２】
上記前部側枠８の左右の縦枠部材８ａ，８ｂにはその上部に、それぞれ内側方から外側方へスプリング（図示せず）によって突出するように付勢されたスライドラッチ１０が設けられており、前部側枠８が上方の閉位置にあるとき、そのスライドラッチ１０の先端が左右のコーナ支柱１ｃ，１ｄの互いに対向する面に設けられた係止孔（図示せず）に挿入係合され、前部側枠８がその閉位置に保持されるようにしてある。
【００１３】
しかして、上記スライドラッチ１０を操作し、その先端をコーナ支柱１ｃ，１ｄの係合孔から引き抜くことによって、前部側枠８を下方に移動させ、前部側枠８を図２に示す開状態に位置させることができる。なお、図中、符号１１は床板上に敷設されたマットであり、１２は下部横桟２，５に設けられたキャスターである。
【００１４】
ところで、上部横桟４には、閉位置（上方位置）にある前部側枠８の下降を阻止する第二のロック装置１３が設けられている。図３はそのロック装置１３の拡大斜視図であって、上部横桟４のほぼ中央位置には、その上部横桟４の軸線に直交する方向に延びる切欠き溝１４が形成されており、その切欠き溝１４の前部には切欠き溝１４の横幅より広い切欠き凹部１５が形成されている。そして、上記切欠き溝１４の左右対向面には水平方向に延びる案内溝１６が設けられている。
一方、上記切欠き溝１４内にはロック片１７が上部横桟４の軸線に直交する方向に摺動し、その横桟４の前面から出没可能に配設されている。そのロック片１７の両側には突条１８が突設されており、その突条１８が前記案内溝１６に係合され、上記案内溝１６に案内されてロック片１７が出没可能としてある。また、上記ロック片１７の下面には、その前部及び後部に前記切欠き凹部１５の垂直面１５ａ或は上部横桟４の裏面と当接するストッパ面１９が形成され、上記ロック片１７の移動が規制されている。
【００１５】
しかして、ロック片１７の両側を挟んで手前に引き出すと、そのロック片１７の前部が所定量だけ上部横桟４の前面から突出し、前部側枠８の下面を支持し、前部側枠８の下降を阻止する。一方、ロック片１７を押圧すると、ロック片１７が後方に移動し、ロック片１７の前部が切欠き凹部１５内に没入し、前部側枠８の下降が可能となる。
【００１６】
したがって、乳幼児がベット内にいる場合には、スライドラッチ１０によって前部側枠８を上方の閉位置に保持するとともに、ロック片１７を引き出した状態にしておくことによって（図１）、万一スライドラッチ１０が外れた場合でも前部側枠８が下降することが防止され、乳幼児の転落事故の発生を防止することができる。
【００１７】
一方、乳幼児の出し入れ時やオムツの交換時等には、ロック片１７を切欠き凹部１５内に押し込み、その後スライドラッチ１０を解放させることによって、前部側枠８を下方にスライド移動させることができる。
【００１８】
ところで、上記実施の形態においては、第二のロック装置１３を上部横桟４に設けたものを示したが、前部側枠８の下部に第二のロック装置１３を設けてもよい。すなわち、第二のロック装置１３を図３と逆向きにして、前部側枠８の下面に設け、ロック片１７を後方に突出させることによってロック片１７の先端部を上部横桟４の上面に当接係合させ、前部側枠８の下降を防止するようにしてもよい。また、第二のロック装置１３の代わりに、図４に示したように前部側枠８の下部にスライドラッチ２０を設けるようにしても良い。この実施の形態では既存のスライドスイッチを取付けるのみで良く、コスト低減を図ることができる。
【００１９】
【発明の効果】
以上説明したように、本発明は長辺側の前部側枠或は左右のコーナ支柱の中間部を連結する上部横桟に、前部側枠の下降を阻止する第二のロック装置を設けたので、通常の前部側枠を保持するラッチが万一外れた場合でも前部側枠が自然に落下することがなく、乳幼児の転落を防止することができる。しかも、ロック片を出没可能とした場合には、その構成をきわめて簡単なものとすることができる。
【図面の簡単な説明】
【図１】本発明のベビーベットの斜視図。
【図２】本発明のベビーベットにおいて、前部側枠を下降させた状態を示す斜視図。
【図３】第二のロック装置の斜視図。
【図４】第二のロック装置の他の実施の形態を示す図。
【符号の説明】
１ａ，１ｂ，１ｃ，１ｄ  コーナ支柱
２，５  下部横桟
３  後部側枠
４  上部横桟
６，７  短辺側の側枠
８  前部側枠
９  溝
１０  スライドラッチ
１３  第二のロック装置
１４  切欠き溝
１５  切欠き凹部
１６  案内溝
１７  ロック片
１８  突条
１９  ストッパ面
【図１】
0004463365.tif 000002
【図２】
0004463365.tif 000003
【図３】
0004463365.tif 000004
【図４】
0004463365.tif 000005